(57)【要約】      （修正有）【課題】ドアノブ等に手を触れないで操作できる不触操作具を提供する。【解決手段】不触操作具は、後部に指を入れる指孔を形成した二枚の金属製の板状体１、２を交差させ、交差部に設けたピン３を中心に板状体１、２を鋏状に開閉可能に枢着し、一方の板状体の先端部を他方の板状体とは反対方向に彎曲させるとともに、指孔６、７の内側の枠体を外膨形状にして対向面に軟質弾性部材９を貼っておく。【選択図】図１
0003229562.tif 000002
【実用新案登録請求の範囲】
【請求項１】
後部に指を入れる指孔を形成した二枚の金属製の板状体を交差させ、交差部に設けたピンを中心に板状体を鋏状に開閉可能に枢着し、一方の板状体の先端部を他方の板状体とは反対方向に彎曲させるとともに、指孔の内側の枠体を外膨形状にして対向面に軟質弾性部材を貼ったことを特徴とするドアノブ等の不触操作具。
【請求項２】
真直の方の板状体の先端を彎曲部のやや先で短く詰めた請求項１のドアノブ等の不触操作具。
【請求項３】
二枚の板状体の先端を樹脂で覆った請求項１又は２のドアノブ等の不触操作具。
【請求項４】
二枚の板状体が既存の鋏を加工したものである請求項１〜３いずれかのドアノブ等の不触操作具。
【考案の詳細な説明】
【技術分野】
【０００１】
本考案は、ドアのノブやレバー及びドアに取り付けられた押しボタンスイッチ(押し釦)を触らなくても操作できる不触性操作具に関するものである。
【背景技術】
【０００２】
最近、新型コロナウイルスが問題となっており、感染防止はウイルスが付着しているものに接触しないこと、感染者の飛沫を浴びないことと言われている。直接感染の最たるものはウイルスが付着しているかもしれない器物に触れることである。器物の具体例としては、壁の押しボタンスイッチ(以下、押し釦)やドアのノブ及びレバーといったものが考えられる。対策としては、手袋をしたり布や紙を介して触ることであるが、うまく作動できなかったり、一々の装着が面倒臭かったりする。
【０００３】
下記特許文献１には、パック包装された内容物を鋏形状をした一方の刃体に付設されたヒンジで開閉可能な棒体で挟んで引っ張り出す案件が示されている。しかし、すべての内容物がこれで挟めるとは限らない。特許文献２には、カットとセニングの両方ができる鋏が提案されているが、これは理美容用に限られる。
【先行技術文献】
【特許文献】
【０００４】
【特許文献１】特開平９−２９９６２５号公報。
【特許文献２】特開平１０−２４１７７号公報
【考案の概要】
【考案が解決しようとする課題】
【０００５】
本考案は、直接手で触れずに、押す、引っ張る、掴むといった動作ができる多機能の操作具を提供したものである。
【課題を解決するための手段】
【０００６】
以上の課題の下、本考案は、請求項１に記載した、後部に指を入れる指孔を形成した二枚の金属製の板状体を交差させ、交差部に設けたピンを中心に板状体を鋏状に開閉可能に枢着し、一方の板状体の先端部を他方の板状体とは反対方向に彎曲させるとともに、指孔の内側の枠体を外膨形状にして対向面に軟質弾性部材を貼ったことを特徴とするドアノブ等の不触操作具を提供し、これにおいて、請求項２に記載した、真直の方の板状体の先端を彎曲部のやや先で短く詰めた構成、請求項３に記載した、二枚の板状体の先端を樹脂で覆った構成、さらに、請求項４に記載した、二枚の板状体が既存の鋏を加工したものである構成を提供する。
【考案の効果】
【０００７】
請求項１の考案によれば、真直な方の板状体の先端で押し釦が押せ、彎曲させた板状体でドアのレバーを引っ掛けて押し下げることでドアを開くことができる。また、逆にして持ち上げればレバーを元に戻すができる。さらに、指孔の内側の枠体の対向面でノブを掴んで回せば、ノブを回転させてドアを開けることができる。これらにおいて、手はこれらの器物に触れることはないから、ウイルスに感染するリスクが低い。請求項２の考案によれば、目的点までの長さが短いから、安定して強い力が出せる。請求項３の考案によれば、緩衝効果があり、相手物や板状体自身を傷付けるおそれが少ない。請求項４の考案によれば、製作が容易である。
【図面の簡単な説明】
【０００８】
【図１】本考案の操作具の正面図である。
【図２】同じく一部側面図である。
【図３】操作具の使用状態を示す一部斜視図である。
【図４】操作具の使用状態を示す一部正面図である。
【図５】操作具の使用状態を示す正面図である。
【考案を実施するための形態】
【０００９】
以下、本考案の実施の形態を図面を参照して説明する。図１は本考案の操作具の正面図であるが、この操作具は鋏形状をしており、実際に既存の鋏を加工するのが効率的である。そこで、二枚の金属製の板状体１、２を鋏になぞらえて刃体１、２と呼び、他の部材も鋏の部品名称とする。本考案の構成は、刃体１、２を交差させて合わせ、交差部にピン３で回動可能に止めたものである。そして、それぞれの刃体１、２には、前部に刃部４、５を形成し、後部に指を入れる指孔６、７を枠体８で囲んで形成している。なお、鋏は右手で握るのを基本として、親指以外の指(多くは薬指、以下、他指という)を入れる指孔６は動かさず、親指を入れる指孔７を動かして切断するとのことである(両方を動かしてもよい)。この点で、指孔６の方を静刃、指孔７の方を動刃ということである。加えて、動刃を下に静刃を上にして横にしたものを基本姿態とする。
【００１０】
本考案は、図１の正面図、図２の一部側面図に示すように、一方の刃体１の刃部４の先端は刃裏面側(相手と反対側)に向けて彎曲させ、他方の刃体２の刃部５は先端をやや短く詰めてある。そして、両方の刃部４、５の先端は薄い樹脂のカバー１３で覆い(図２)、対象器物に触れたときの緩衝としている。なお、以下の図面ではカバーは省いている。また、両指孔６、７の枠体のうちの対向面８にスポンジゴムや樹脂等の軟質弾性部材９を貼っておき、物を掴んだときに滑り難くしている。なお、これらの刃体１、２のうち、彎曲させる方は静刃、先端詰めする方は動刃が適するが、逆であってもよい。ただし彎曲させる方向は相手側のものとは反対方向にする必要がある。
【００１１】
このような形態の鋏(金属製の板状体)は、詰めた方の刃部５は壁等に設けられた押し釦１０を押すのに使われる(図３の一部斜視図)。この点で安全のため，その先端はあまり鋭くないようにしておく。彎曲させた方の刃部４はドアに取り付けられたレバー１０に引っ掛け、これを下げたり、逆向きにして上げたりするのに使われる(図４の一部正面)。この点で、彎曲の程度は引っ掛けたときにも外れない程度の曲がりにしておく必要がある。そして、カバー１３が滑り防止に働く。ところで、これらの動作は鋏を開いても、閉じてもできるが、閉じた方が鋏の姿勢が安定する。さらに、鋏を開いて両指孔６、７の枠体８のうちの対向面間でドアに設けられたノブ１２を強く挟み、鋏を回転すればノブ１２を回転させて施錠や開錠ができる(図５の正面図)。この点で、軟質弾性部材９は滑り難い材質のものが適するし、表面に細かい突起を設けたりすることもある。。
【符号の説明】
【００１２】
１    刃体(金属製の板状体)
２    刃体(金属製の板状体)
３    ピン
４    刃部
５    刃部
６    指孔
７    指孔  
８    指孔の枠体の対向面
９    軟質弾性部材
１０  押しボタンスイッチ(押し釦)
１１  レバー
１２  ノブ
１３  カバー
【図１】
0003229562.tif 000003
【図２】
0003229562.tif 000004
【図３】
0003229562.tif 000005
【図４】
0003229562.tif 000006
【図５】
0003229562.tif 000007